(57)【要約】【課題】  運搬用具であって、被運搬物の取り込みと取り出しが容易で体に無理な負担をかけない運搬用具又は散乱防止用覆いとしての機能を有する運搬具を廉価に供すること。【解決手段】上部開口部から下部開口部までの横幅がほぼ均一に構成され運搬用の把手や背負い紐を取り付けた上下に開口する筒状体であり、該筒状体に運搬中に内容物の落下を防ぐための下部開口部閉鎖手段および該閉鎖手段の解除手段を設けた運搬用具であって、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱することを特徴とする手下げ型又は背負い型の運搬用具又は散乱防止用覆いとしての機能を有する運搬具を供する。【選択図】  図３
2008094493.tif 000002
【特許請求の範囲】
【請求項１】
上部開口部から下部開口部までの横幅がほぼ均一に構成され運搬用の把手や背負い紐を取り付けた上下又は左右に開口する布や網である布状体によって構成された筒状体であり、該筒状体に運搬中に被運搬物の落下を防ぐための開口部閉鎖手段および該閉鎖手段の解除手段を設けた運搬用具であって、運搬中には開口部を閉鎖手段によって閉鎖状態にしておいて運搬し、運搬終了後は前記閉鎖手段を解除して当該筒状体を吊り上げると前記開口部が前記内容物の重量によって押し広げられ、該内容物が該下部開口部より滑り出して該筒状体から離脱することを特徴とする手下げ型又は背負い型の運搬用具又は散乱防止用覆いとしての機能を有する運搬用具において、前記筒状体を偏平に押しつぶして上部又か下部又はその双方を折り返し、該筒状体に被運搬物を入れて横倒しになった場合に該折り返し部が垂れ下がって該筒状体の開口部を塞ぐことのできる柔軟性と長さを有することを特徴とする手下げ型の運搬用具。
【請求項２】
上部開口部から下部開口部までの横幅がほぼ均一に構成され運搬用の把手や背負い紐を取り付けた上下又は左右に開口する布や網である布状体によって構成された筒状体であり、該筒状体に運搬中に被運搬物の落下を防ぐための開口部閉鎖手段および該閉鎖手段の解除手段を設けた運搬用具であって、運搬中には開口部を閉鎖手段によって閉鎖状態にしておいて運搬し、運搬終了後は前記閉鎖手段を解除して当該筒状体を吊り上げると前記開口部が前記内容物の重量によって押し広げられ、該内容物が該下部開口部より滑り出して該筒状体から離脱することを特徴とする手下げ型又は背負い型の運搬用具又は散乱防止用覆いとしての機能を有する運搬用具において、前記筒状体の下端に引き紐の下端を結合又は係着して上に導き、該引き紐の上端を下部開口部の閉鎖用把手とし、該引き紐を上に引いて扁平に押しつぶした状態の該筒状体下端の一定の長さを上に向かって折り返すことで下部開口部を閉鎖し、該閉鎖用把手と前記運搬用の把手とを共に把持することで該筒状体の下部を閉鎖状態にし、被運搬物を吊り下げて移動可能とした散乱防止用覆いとしての機能を有する手下げ型の運搬用具。
【請求項３】
上部開口部から下部開口部までの横幅がほぼ均一に構成され運搬用の把手や背負い紐を設けた上下に開口する筒状体であり、該筒状体に運搬中に内容物の落下を防ぐための下部開口部閉鎖手段および該閉鎖手段の解除手段を設けた運搬用具であり、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱することを特徴とする運搬用具において、前記筒状体に背負い紐を設けて背負い可能とすると共に、前記筒状体を偏平に押しつぶして下部を折り返し、該折り返し部に引き絞り可能な腰ひもを設けてその端部を結合し、前記閉鎖状態維持手段を該腰紐を引き絞る事とし、該腰紐を緩めることで背負ったまま該筒状体の下部開口部を開口可能とした運搬用具。
【発明の詳細な説明】
【技術分野】
【０００１】
本発明は筒状であって、下部開口部より内容物を離脱させることで該内容物の取り出しが容易な、筒状の手下げ型又は背負い型運搬用具に関するものである。
【背景技術】
【０００２】
従来、袋状運搬用具に於いて、該運搬用具が筒状であり、上部開口部より被運搬物である内容物を取り込み下部開口部より取り出す運搬用具は日常生活において使用されてこなかった。ところが、各家庭より袋に入れた生ゴミをカラス等の鳥獣による食い散らし散乱被害から保護する目的で運搬用具を兼ねた袋等に入れて門口に搬出すると、生ゴミの回収業者にとっては袋から取り出す手間がかかり回収のコストを上昇させることとなる。袋状運搬用具を持ち上げるとゴミ袋のみがその場に残る運搬用具が望まれる。また、廃品回収などにおける紙類の搬出と回収、農産物の収穫とその移動等についても同様の機能が求められる。又、農業での肥料の運搬や災害時の土嚢の運搬など重量物の移動では腰を曲げての作業が多く、腰を痛めやすい。台風などの災害時には土嚢が必要とされこの土嚢の運搬は人手に頼らざると得ない場面が多い。このような場合、手で抱えて運搬したりバケツリレー方式で運ぶことも多い。足場が悪いのが通常であり、手で抱えての運搬では体に無理な負担をかけることななる。又、リレー方式では小量ずつの運搬となり、作業効率がわるい。土嚢を背負って移動し、必要個所で背負ったまま運搬具の底を開いて土嚢をその場に落とせば災害予防又は復旧の効率化につながる。農作業についても同様である。
【０００３】
【特許文献１】実用新案登録第３１０４４４６号  実用新案登録第３１０４４４６号記載の考案は「折り畳みの可能な布等のシート状の可撓性材料よりなり、上部に開口（１）を有する有底の筒状に形成された小物入れにおいて、中間部両側の一対の視点（２）（３）から夫々下方へ伸び、下端縁でＵ字状に形成される第１縁部（４）と前記一対の始点（２）（３）から夫々背面側に斜め上方に伸び背面で逆Ｕ字状に形成される第２縁部（５）とを有し下部が内側に折り畳み可能に形成されて、その折り畳み状態を係脱自在な自在なファスナ（６）で止着できるように構成された小物入れ。」である。筒状体下部より内容物の取り出し可能に構成できるものの有底であり上から入れて下から出すという本願機能を果たし得ず、本願への転用は不可能である。特別の操作無しに、筒状体を持ち上げるとゴミ袋等の被運搬物のみがその場に残り、回収が容易である運搬用具の実現が望まれる。
【０００４】
【特許文献２】実開平５−７２７４５  実開平５−７２７４５記載の考案は「軟質な材質から形成され、物品を納めて運搬する袋状の道具であって、上部から物品を収納する上部開口部と、物品の収納部を形成する胴部と底部とからなる運搬袋において、上記上部開口部の周縁に開閉自在に設けた上部開閉部材と上部開口部を内側から封止するため、上記胴部の内部上部の所定の位置に設けた上部封止片と上記底部に下部開口部を形成すると共に当該下部開口部の周縁に開閉自在に設けた開閉部材と上記下部開口部の内側から封止するため、上記胴部の内部下部の所定の位置に設けた下部封止片と上記胴部の外側上部の所定の位置と上記胴部外側下部の所定の位置に、それぞれ複数も受けた吊持部材と、を備えたことを特徴とする運搬袋。」であり、本願とは、本願が上記上部封止片や下部封止片を有さずに筒状体を偏平に押しつぶして折り返し、筒状体下部に引き紐を配して閉鎖用把手とし閉鎖用把手と運搬用把手を共に把持する手下げ型運搬具である点や、該筒状体を折り返した実質的閉鎖位置の外側に「下がり」を構成した点において異なる。単純な構成の運搬用具であって、上部からものを入れて下部から排出する運用具で、筒状体を引き上げると被運搬物だけがその場に残る、カラスなどの鳥獣による食い散らし散乱被害や、風による飛散防止機能を有する運搬用具が望まれる。
【０００５】
【特許文献３】特開２００１−２４３  特開２００１−２４３号公報記載の発明は「プラスチック製の背面板と前面板とを底部で一体に連接させて備えると共に、当該背面板の外面に背負いバンドを有しており、しかも前記背面板の側部と前面板の側部との間に亙って設けられ、かつ、当該背面板と前面板との間の感覚を狭める向きに引き絞り可能な帯状又は紐状をなす引き絞り体を有していることを特徴とする荷運び用背負い体。」であって、本願発明と同様に背面板と前面板との間の感覚を狭める向きに引き絞り可能な帯状又は紐状をなす引き絞り体を有している。しかしながら本発明は「背面板と前面板とを底部で一体に連接させて備える」構成であり、本願発明の「腰紐を緩めることで該筒状体の下部開口部を開口可能とし」背負った土嚢をその場に落下させるという機能を持たせることは不可能である。腰紐を緩めると背負った土嚢が落下することで、重量物の運搬や災害の予防や復旧に貢献できる運搬用具の実現が望まれる。
【発明の開示】
【発明が解決しようとする課題】
【０００６】
運搬用具であって、カラス等鳥獣の食い散らし散乱被害や、廃品回収における紙類の飛散防止などを防ぐことのできるカバーの役割を果たし、特別の操作無しに前記用具を引き上げるとゴミ袋のみがその場に残ることで、生ゴミ等被運搬物の取り込みと取り出しが容易な運搬用具又は散乱防止用覆いとしての機能を有する運搬具を廉価に供すること。また、土嚢や肥料のような重量物を背負うことのできる運搬用具であって、腰紐を緩めることで背負ったままの土嚢のような重量物をその場に落下させることのでき、体に無理な負担をかけない運搬用具を廉価に供すること。
【課題を解決するための手段】
【０００７】
上部開口部から下部開口部までの横幅がほぼ均一に構成され運搬用の把手や背負い紐を取り付けた上下又は左右に開口する布や網である布状体によって構成された筒状体であり、該筒状体に運搬中に被運搬物の落下を防ぐための開口部閉鎖手段および該閉鎖手段の解除手段を設けた運搬用具であって、運搬中には開口部を閉鎖手段によって閉鎖状態にしておいて運搬し、運搬終了後は前記閉鎖手段を解除して当該筒状体を吊り上げると前記開口部が前記内容物の重量によって押し広げられ、該内容物が該下部開口部より滑り出して該筒状体から離脱することを特徴とする手下げ型又は背負い型の運搬用具又は散乱防止用覆いとしての機能を有する運搬用具において、前記筒状体を偏平に押しつぶして上部又か下部又はその双方を折り返し、該筒状体に被運搬物を入れて横倒しになった場合に該折り返し部が垂れ下がって該筒状体の開口部を塞ぐことのできる柔軟性と長さを有することを特徴とする手下げ型の運搬用具を供する。
【０００８】
上部開口部から下部開口部までの横幅がほぼ均一に構成され運搬用の把手や背負い紐を取り付けた上下又は左右に開口する布や網である布状体によって構成された筒状体であり、該筒状体に運搬中に被運搬物の落下を防ぐための開口部閉鎖手段および該閉鎖手段の解除手段を設けた運搬用具であって、運搬中には開口部を閉鎖手段によって閉鎖状態にしておいて運搬し、運搬終了後は前記閉鎖手段を解除して当該筒状体を吊り上げると前記開口部が前記内容物の重量によって押し広げられ、該内容物が該下部開口部より滑り出して該筒状体から離脱することを特徴とする手下げ型又は背負い型の運搬用具又は散乱防止用覆いとしての機能を有する運搬用具において、前記筒状体の下端に引き紐の下端を結合又は係着して上に導き、該引き紐の上端を下部開口部の閉鎖用把手とし、該引き紐を上に引いて扁平に押しつぶした状態の該筒状体下端の一定の長さを上に向かって折り返すことで下部開口部を閉鎖し、該閉鎖用把手と前記運搬用の把手とを共に把持することで該筒状体の下部を閉鎖状態にし、被運搬物を吊り下げて移動可能とした散乱防止用覆いとしての機能を有する手下げ型の運搬用具を供する。
【０００９】
上部開口部から下部開口部までの横幅がほぼ均一に構成され運搬用の把手や背負い紐を設けた上下に開口する筒状体であり、該筒状体に運搬中に内容物の落下を防ぐための下部開口部閉鎖手段および該閉鎖手段の解除手段を設けた運搬用具であり、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱することを特徴とする運搬用具において、前記筒状体に背負い紐を設けて背負い可能とすると共に、前記筒状体を偏平に押しつぶして下部を折り返し、該折り返し部に引き絞り可能な腰ひもを設けてその端部を結合し、前記閉鎖状態維持手段を該腰紐を引き絞る事とし、該腰紐を緩めることで背負ったまま該筒状体の下部開口部を開口可能とした運搬用具を供する。
【発明の効果】
【００１０】
上部開口部から下部開口部までの横幅がほぼ均一に構成され運搬用の把手や背負い紐を取り付けた上下又は左右に開口する布や網である布状体によって構成された筒状体であり、該筒状体に運搬中に被運搬物の落下を防ぐための開口部閉鎖手段および該閉鎖手段の解除手段を設けた運搬用具であって、運搬中には開口部を閉鎖手段によって閉鎖状態にしておいて運搬し、運搬終了後は前記閉鎖手段を解除して当該筒状体を吊り上げると前記開口部が前記内容物の重量によって押し広げられ、該内容物が該下部開口部より滑り出して該筒状体から離脱することを特徴とする手下げ型又は背負い型の運搬用具又は散乱防止用覆いとしての機能を有する運搬用具において、前記筒状体を偏平に押しつぶして上部又か下部又はその双方を折り返し、該筒状体に被運搬物を入れて横倒しになった場合に該折り返し部が垂れ下がって該筒状体の開口部を塞ぐことのできる柔軟性と長さを有することを特徴とする手下げ型の運搬用具であるため，次の効果を奏する。
【００１１】
ゴミ袋等の被運搬物を本願運搬用具に入れ、運搬後に下部開口部閉鎖手段を解除してそのまま放置すると「折り返し部」が投入口を覆ってカラスなど鳥獣の侵入を防ぐと共に、前記運搬用具を吊り上げると被運搬物のみがその場に残り、被運搬物の搬出と回収を合理的で容易にする運搬用具が提供できる。
【００１２】
上部開口部から下部開口部までの横幅がほぼ均一に構成され運搬用の把手や背負い紐を取り付けた上下又は左右に開口する布や網である布状体によって構成された筒状体であり、該筒状体に運搬中に被運搬物の落下を防ぐための開口部閉鎖手段および該閉鎖手段の解除手段を設けた運搬用具であって、運搬中には開口部を閉鎖手段によって閉鎖状態にしておいて運搬し、運搬終了後は前記閉鎖手段を解除して当該筒状体を吊り上げると前記開口部が前記内容物の重量によって押し広げられ、該内容物が該下部開口部より滑り出して該筒状体から離脱することを特徴とする手下げ型又は背負い型の運搬用具又は散乱防止用覆いとしての機能を有する運搬用具において、前記筒状体の下端に引き紐の下端を結合又は係着して上に導き、該引き紐の上端を下部開口部の閉鎖用把手とし、該引き紐を上に引いて扁平に押しつぶした状態の該筒状体下端の一定の長さを上に向かって折り返すことで下部開口部を閉鎖し、該閉鎖用把手と前記運搬用の把手とを共に把持することで該筒状体の下部を閉鎖状態にし、被運搬物を吊り下げて移動可能とした散乱防止用覆いとしての機能を有する手下げ型の運搬用具であるため，次の効果を奏する。
【００１３】
ゴミ袋等である被運搬物を本願運搬用具である前記筒状体に入れて、該筒状体の下部に設けた帯や紐を把手と共に把持することで閉鎖状態維持手段を機能させ、前記帯や紐から手を離すだけで閉鎖状態が解除でき、搬後に該筒状体の下端に設けた引き紐を手から離して該筒状体を吊り上げると下部開口部の閉鎖に関して一切の操作無しに下部開口部閉鎖手段が解除されて被運搬物のみがその場に残り、散乱防止用覆いとしての機能を有する運搬具が廉価に提供でき、また、生ゴミ等の搬出と回収が合理化できる。
【００１４】
上部開口部から下部開口部までの横幅がほぼ均一に構成され運搬用の把手や背負い紐を設けた上下に開口する筒状体であり、該筒状体に運搬中に内容物の落下を防ぐための下部開口部閉鎖手段および該閉鎖手段の解除手段を設けた運搬用具であり、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱することを特徴とする運搬用具において、前記筒状体に背負い紐を設けて背負い可能とすると共に、前記筒状体を偏平に押しつぶして下部を折り返し、該折り返し部に引き絞り可能な腰ひもを設けてその端部を結合し、前記閉鎖状態維持手段を該腰紐を引き絞る事とし、該腰紐を緩めることで背負ったまま該筒状体の下部開口部を開口可能とした運搬用具であるため，次の効果を奏する。
【００１５】
運搬した人が立ったたままの状態で被運搬物を地面に落下させることができ、運搬に際し人体への無理な負担をかけることなく土嚢や肥料などの重量物を運搬できるようになる。
【発明を実施するための最良の形態】
【００１６】
本願発明は，運搬用把手を設けて、吊り下げて移動可能とした筒状体の下端を曲折することで開閉可能にし、生ゴミや土嚢などの被運搬物を取り出し容易にし、作業効率を高めるためのものである。以下、図に基づいてその構成について述べる。
【実施例１】
【００１７】
図１は実施例１の斜視図である。筒状体１を網や布等によって構成し、該筒状体１を立てた状態で、上部開口部１１を被運搬物の挿入口とし、下部開口部１２を前記被運搬物の排出口とする。該筒状体１を偏平に押しつぶしてその上部を下に向かって折り返し、上部の折り返し部１３を構成する。該上部の折り返し点１３１付近が実質的上部閉鎖位置となる。また、該筒状体の下部を上に向かって折り返し下部の折り返し部１４を形成する。該下部の折り返し点１４１付近が実質的下部部閉鎖位置となる。該上部折り返し部１３と下部の折り返し部１４は、該筒状体１に被運搬物を入れて横倒しになった場合に該上部の折り返し部１３が垂れ下がって該筒状体１の開口状態を閉鎖することのできる柔軟性と長さを有するものとする。上記のごとく該筒状体１の上部と下部を該折り返すことで上部閉鎖位置と下部部閉鎖位置とによって区切られ閉鎖可能となった該筒状体１の中間部を収納部である胴部１５とする。縦方向に補強材２である複数の縦方向補強材２１を設けるが前記筒状体の材質によっては必ずしも必要としない。上部開口部１１の周縁には該開口部１１を補強し、開口状態を維持しやすくするための開口部補強材２２を配するがこれも前記縦方向補強材２１と同様に該筒状体１の材質によっては必ずしも必要とはしない。該筒状体１の上部に該筒状体１の上部の折り返し点１３１よりも上に突出する把手３である運搬用の把手Ａ３１を設ける。
【００１８】
該筒状体の裏側の縦方向補強材２１を下に延長して係着部２３を構成する。該係着部２３先端と表側の縦方向補強材２１上の前記係着部２３先端に対応する位置に、本図では平面ファスナーである係着手段２４を設ける。該平面ファスナーをフック等別の係着手段とすることが可能である。該係着部２３と表側の縦方向補強材２１との係着手段２４どうしを係着すると筒状体１の下部が上に引き上げられ折り返されて下部の折り返し部１４を形成する。下部の折り返し点１４１付近が筒状体１を運搬用具とする場合の実質的な下部閉鎖位置となり上下に開口する筒状体１が運搬用具となる。被運搬物の回収にあたっては該係着手段２４を解除しておき、運搬用の把手Ａ３１を把持して引き上げると筒状体１の下部の折り返し部１４が引き伸ばされて被運搬物は下部開口部１２より排出される。上部開口部１１から挿入し下部開口部１２より排出されるため、被運搬物が生ゴミのように汚れを伴うものである場合には、該汚れが筒状体１全体に広がることがない。又、回収にあたっては運搬用の把手Ａ３１を引き上げるだけで被運搬物が自動的に排出されるため回収作業を容易にする。
【００１９】
図２は実施例１の作用図であって、筒状体１内部に被運搬物を入れ、運搬後に路面に放置した状態を表している。図Ａは図１における表側を下にして転倒した図であり、図Ｂは図１における表側を上にして転倒した図である。図Ａのごとく図１における表側を下にして転倒した場合には上部の折り返し部１３と下部の折り返し部１４は筒状体の胴部１５の下に置かれ、該胴部１５内に入れられた被運搬物の重量で押さえつけられるため、内部の被運搬物が鳥獣の食い散らし散乱被害に合うことも風などによって散乱することもない。この状態から運搬用の把手Ａ３１を把持し引き上げると下部の折り返し部１４が伸ばされて内部の被運搬物が下部開口部１２から放出される。図Ｂのごとく図１における表側を上にして転倒した場合には係着手段２４を解除しておくと上部の折り返し部１３と下部の折り返し部１４は筒状体の胴部１５の外側に垂れ下がり筒状体１は胴部１５の上部と下部で閉鎖される。
【実施例２】
【００２０】
図３は実施例２の斜視図である。実施例１との相違点は、筒状体１の上部であって上部の折り返し点１３１の周辺下方に把手３である運搬用の把手Ａ３１（３）を全面と裏面のうちの片側にのみ設け、反対側には下部閉鎖用の把手Ｂ３２（３）を設けた点にある。該筒状体の両、側部に一定幅の縫い代１６を設け、該縫い代１６の下部に引き紐４の下端を結合又は係着する。本図における破線は縫い目１６１を表している。該筒状体の両、側部下端に穴１６２を開け、引き紐４の下端に設けた結びこぶ４０１を係着しているが、該結びこぶ４０１をフックにすることや縫着して接合しても効果に違いは無い。また、係着位置は筒状体１の下部であって下部の折り返し点１４１の下方であれば変更可能である。
【００２１】
縫い代１６は筒状体１の内部空間を一定幅に保ち被挿入物の流れをよくすると共に穴１６２の周辺の補強に役立つが必ずしも必要としない。引き紐４は前記筒状体の胴部１５の適宜の位置に設けた引き紐案内部４０２を通って閉鎖用の把手Ｂ３２に結合又は係着する。引き紐の長さはほぼ筒状体１の下端から引き紐案内部４０２までの距離であり、閉鎖用の把手Ｂ３２を上に引き上げて運搬用の把手Ａ３１と共に把持したときに筒状体１の下部が上に引き上げられ折り返されて下部の折り返し部１４を形成する。下部の折り返し点１４１付近が筒状体１を運搬用具とする場合の実質的な閉鎖位置１４１となり、このことで、上下に開口する筒状体１が運搬用具になる。被運搬物の回収にあたっては運搬用の把手Ａ３１のみを把持して引き上げると筒状体１の下部の折り返し部１４が引き伸ばされて被運搬物は下部開口部１２より排出される。
【００２２】
図４は実施例２の作用図であって、筒状体１内部に被運搬物を入れ、運搬後に路面に放置した状態を表している。図Ａは図３における表側を下にして転倒した図であり、図Ｂは図３における表側を上にして転倒した図である。図Ａのごとく図３における表側を下にして転倒した場合には上部の折り返し部１３と下部の折り返し部１４は筒状体の胴部１５の下に置かれ、該胴部１５内に入れられた被運搬物の重量で押さえつけられるため、内部の被運搬物が鳥獣の食い散らし散乱被害に合うことも放出されて散乱することもない。この状態から運搬用の把手Ａ３１（３）を把持し引き上げると下部の折り返し部１４が伸ばされて内部の被運搬物が下部開口部１２から放出される。図Ｂのごとく図１における表側を上にして転倒した場合には上部の折り返し部１３と下部の折り返し部１４は筒状体の胴部１５の外側に垂れ下がり偏平となって筒状体１は胴部１５の上部と下部で閉鎖される。したがって、本実施例では、被運搬物を筒状体１に入れ、運搬用の把手Ａ３１と閉鎖用の把手Ｂ３２を共に把持して運搬し、そのまま放置しても、内部の被運搬物が鳥獣の食い散らし散乱被害に合うことも放出されて散乱することもない。また、被運搬物が生ゴミなどの汚れを伴うものであったとしても上部開口部１１から挿入し下部開口部１２から放出するため、汚れが筒状体全体に広がることが無く衛生的である。
【実施例３】
【００２３】
図５は実施例３の斜視図である。実施例２との相違点は、筒状体１の上部の折り返し点１３１おける両側端に上部の引き紐４１（４）を設けた点である。該引き紐４１（４）と、該筒状体１の下部の折り返し点１４１における両側端に設けた下部の引き紐４２（４）とを同時に引き上げることで、該筒状体１の収納部である胴部１５に入れられた被運搬物を吊り上げる。該筒状体１と上部の引き紐４１（４）との結合点又は係着点より上には該筒状体１の上部の空洞部である「下がりＡ」５１が形成され、該筒状体１と下部の引き紐４２（４）との結合点又は係着点より下には該筒状体１の下部の空洞部である「下がりＢ」５２が形成される。当該二つの「下がり」５は、筒状体１の移動後にそのまま路面に放置すると該筒状体の上部と下部に垂れ下がって筒状体１の上下開口部を塞ぎ、被運搬物の散乱を防止する。
【００２４】
上部の引き紐４１（４）は把手Ｃ３３に連結又は係着され、下部の引き紐４２（４）は把手Ｄ３４に連結又は係着される。該把手Ｃ３３と把手Ｄ３４のそれぞれは閉鎖用把手と運搬用把手を兼ね、該ＣとＤの二つの把手を把持して被運搬物を吊り上げ移動する。回収にあたっては上部の引き紐４１（４）を結合した側の把手Ｃ３３を引き上げて筒状体１から被運搬物を放出する。被運搬物が汚れを伴うものであった場合には上部開口部１１から該被運搬物挿入し下部開口部１２から放出することが望ましいが、上下の形状が似ているため、上部開口部１１にのみ開口部補強材２２を配することや、胴部１５に筒状体１内部での被運搬物の移動方向を示す矢印６を表示することや上部開口部１１付近に「入口」の文字を記載することは上から入れて下から出すことを促す上で有効である。
【実施例４】
【００２５】
図６は実施例４の斜視図である。本実施例は実施例２とほぼ同様であり、相違点は実施例２に実施例３における下部の空洞部である「下がりＢ」５２を設けた点である。筒状体１と下部の引き紐４との結合点又は係着点より下には該筒状体１の下部の空洞部である「下がりＢ」５２が形成される。下がりを設けたことにより筒状体１と下部の引き紐４との結合点又は係着点（本図では筒状体両側端の二つの穴１６２どうしを結んだ位置）から下部の折り返し点１４１までの距離が短くてすむ。すなわち、案内部４０２の位置を筒状体１胴部１５の比較的高い位置に設置可能となり、引き紐４の長さに遊びが少なくてすむ。つまり、引き紐を下に降ろす長さが短くても開口部の閉鎖がより確実に行われるようになる。
【実施例５】
【００２６】
図７は実施例５の斜視図である。図Ａは本実施例の未使用状態、図Ｂは被運搬物を筒状体の胴部１５内に取り込んだ状態を示している。本実施例は曲折補助部７を採用することにより筒状体１の下端を確実に閉鎖すると共に被運搬物の重量を該曲折補助部７が受け止めることで筒状体の材質を保護する機能を有している。筒状体１の下部に適宜の長さの「下がりＢ」５２を設け、少なくとも筒状体１の「下がりＢ」５２よりも上に縦方向補強材２１を配す。筒状体１の「下がりＢ」５２の上に該筒状体１を横切る様に曲折補助部７を配す。該曲折補助部７は板状又は帯状であって複数設けるのが好ましい。該複数の曲折補助部７である上部の曲折補助部Ａ７１と下部の曲折補助部Ｂ７２の間に間隔を持たせて構成される。該上部の曲折補助部Ａ７１の端部に案内孔７１１を設ける。引き紐４の上端を下部閉鎖用の把手Ｂ３２（３）に結合あるいは係着し、該引き紐４の下部を案内孔７１１通した後に下部の曲折補助部Ｂ７２の端部に結合又は係着する。
【００２７】
該引き紐４を引き絞ると図Ｂの様に曲折補助部７どうしが合わさって筒状体１の下部を曲折状態に保持する。上部の曲折補助部Ａ７１と下部の曲折補助部Ｂ７２の間が下部の折り返し点１４１となり、この付近が筒状体１の実質的閉鎖位置となる。また、この付近が本運搬用具の底部に相当し、上部の曲折補助部Ａ７１と下部の曲折補助部Ｂ７２に被運搬物の重量が掛かる。曲折補助部７を一つにする場合には図６における縫い代１６を形成して穴１６２を設け、引き紐４の下部を穴１６２通した後に曲折補助部Ｂ７２の端部に結合又は係着してもほぼ同様の効果を得る。さらには、曲折補助部Ｂ７２も省略し、引き紐４の下部を穴１６２通した後に一定の距離を置いて筒状体の端部に直接結合しても、筒状体を確実に閉鎖するという効果はそれなりに得ることができる。本図では上部の開口部１１を蓋１７とその係着手段２４によって閉鎖したものとしているが、使用の方法及び効果はこれまでに図６などに示した上部を折り返すものとほぼ同様である。
【実施例６】
【００２８】
図８は実施例６の斜視図である。本実施例は本体である筒状体１を頑強な網を含む布状体で構成した背負い型の運搬用具に関するものである。実施例４から「下がりＢ」５２を取り去り、背負い紐８を設けて背負える様にしたものであり、土嚢などの重量物であって被運搬物を人が背負った状態から落下させても身体及び被運搬物に悪影響が出ない物体の運搬に寄与する運搬用具に関するものである。筒状体１を背負った際に背負った人間の頸をよけられるように、筒状体１を偏平に押しつぶした状態での該筒状体上端部中央を、例えば半円形にきり欠いて左右に分け、該筒状体１の上端に二つの肩当て８１を構成する。該肩当て８１の端部の前記切り欠き部寄りに背負い紐８の上端を結合し、該背負い紐８の下端を筒状体下部に結合する。該背負い紐８は押しつぶされた状態での筒状体１の人体側、又は人体からみて外側のどちらに連続する肩当て８１に結合しても機能するが、四つの肩当て８１の全てに背負い紐８を設けることが安定した使い勝手を生じさせる。
【００２９】
上部の曲折補助部Ａ７１の端に設けた案内孔７１１に引き紐４である腰紐４３を通し曲折補助部Ｂ７２の端部に該腰紐４３の端部を結合又は係着さる。該腰紐４３の他の端部を、その端部に係着手段であるフック４４を設ける。腰紐４３を引くと上部の曲折補助部Ａ７１と下部の曲折補助部Ｂ７２の間が曲折され、下部の折り返し点１４１が形成され、この付近が筒状体１の実質的閉鎖位置となる。また、この付近が該運搬用具の底部に相当し上部の曲折補助部Ａ７１と下部の曲折補助部Ｂ７２に被運搬物の重量が掛かる。該上部の曲折補助部Ａ７１と下部の曲折補助部Ｂ７２は該重量を受け止め、筒状体１を補強すると共に曲折した状態を保持する。図６における縫い代１６を本図に採用し、案内孔７１１に換えて穴１６２を設け曲折補助部Ｂ７２のみを残して曲折補助部を一つにすることや、前記穴も設けず一つの曲折補助部Ｂ７２のみ設けて筒状体にの下端を折り返すことや、曲折補助部を設けずに穴１６２を設けて腰紐４３を通し、筒状体の下端部に該腰紐４３の端部を結合又は係着させたとしても、筒状体下部の曲折を確実にする目的においては一定の効果が得られる。
【００３０】
使用に際しては作業台９の上に本実施例を置き、上部開口部１１を開いて土嚢等の被運搬物を入れるか、上部開口部１１を開いた状態で土嚢袋だけを納め、後から土等を入れて土嚢袋の口を閉じることで土嚢を作成するなどし、運搬する人物が前記作業台９に腰をかける様にして筒状体１に体を寄せ、背負い紐を肩にかけ、腰紐４３を引き締めて腰紐に設けたフック４４を係着する。次いで重心を前に倒しながら腰を上げて背負う。被運搬物の取り出しは、背負った人物が前屈みとなり、被運搬物の重量を背中で受け止めながら前記腰紐に設けたフック４４をはずして下部開口部１２の閉鎖状態を解除し、体を立ち上げると被運搬物が自重で下部開口部１２を押し広げて該下部開口部１２から滑り出し、地面に落下する。土嚢を背負う、置く等の土嚢設置作業が立った状態のままで行えることから腰を痛めるなどの危険性を回避できる。
【図面の簡単な説明】
【００３１】
【図１】実施例１の斜視図である。
【図２】実施例１の作用図である。
【図３】実施例２の斜視図である。
【図４】実施例２の作用図である。
【図５】実施例３の斜視図である。
【図６】実施例４の斜視図である。
【図７】実施例５の斜視図である。
【図８】実施例６の斜視図である。
【符号の説明】
【００３２】
１  筒状体
１１  上部開口部
１２  下部開口部
１３  上部の折り返し部
１３１  上部の折り返し点
１４  下部の折り返し部
１４１  下部の折り返し点
１５  胴部
１６  縫い代
１６１  縫い目
１６２  穴
１７  蓋
２  補強材
２１  縦方向補強材
２２  開口部補強材
２３  係着部
２４  係着手段
３  把手
３１  運搬用の把手Ａ
３２  下部閉鎖用の把手Ｂ
３３  把手Ｃ
３４  把手Ｄ
４  引き紐
４０１  結びこぶ
４０２  紐案内部
４１  上部の引き紐
４２  下部の引き紐
４３  腰紐
４４  フック
５  「下がり」
５１  「下がりＡ」
５２  「下がりＢ」
６  矢印
７  曲折補助部
７１  上部の曲折補助部Ａ
７１１  案内孔
７２  下部の曲折補助部Ｂ
８  背負い紐
８１  肩当て
９  作業台
【図１】
2008094493.tif 000003
【図２】
2008094493.tif 000004
【図３】
2008094493.tif 000005
【図４】
2008094493.tif 000006
【図５】
2008094493.tif 000007
【図６】
2008094493.tif 000008
【図７】
2008094493.tif 000009
【図８】
2008094493.tif 000010
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
上部開口部から下部開口部までの横幅がほぼ均一に構成され運搬用の把手を取り付けた布や網である布状体によって構成された筒状体であり、該筒状体に運搬中に被運搬物の落下を防ぐための開口部閉鎖手段および該閉鎖手段の解除手段を設けた運搬用具であって、運搬中には開口部を閉鎖手段によって閉鎖状態にしておいて運搬し、運搬終了後は前記閉鎖手段を解除して当該筒状体を吊り上げると前記開口部が前記内容物の重量によって押し広げられ、該内容物が該下部開口部より滑り出して該筒状体から離脱することを特徴とする手下げ型の運搬用具又は散乱防止用覆いとしての機能を有する運搬用具において、前記筒状体を偏平に押しつぶしたものの下部又は上部と下部の双方に下がり部を構成し、該筒状体に被運搬物を入れて横倒しになった場合に該下がり部が垂れ下がって該筒状体の開口部を塞ぐことのできる柔軟性と長さを有することを特徴とする手下げ型の運搬用具。
【請求項２】
前記筒状体の下端に引き紐の下端を結合又は係着して上に導き、該引き紐の上端を下部開口部の閉鎖用把手とし、該引き紐を上に引いて扁平に押しつぶした状態の該筒状体下端の一定の長さを上に向かって折り返すことで下部開口部を閉鎖し、該閉鎖用把手と前記運搬用の把手とを共に把持することで該筒状体の下部を閉鎖状態にし、被運搬物を吊り下げて移動可能とした散乱防止用覆いとしての機能を有する請求項１記載の手下げ型の運搬用具。
【請求項３】
上部開口部から下部開口部までの横幅がほぼ均一に構成され運搬用の負い紐を設けた上下に開口する筒状体であり、該筒状体に運搬中に内容物の落下を防ぐための下部開口部閉鎖手段および該閉鎖手段の解除手段を設けた運搬用具であり、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱することを特徴とする運搬用具において、前記筒状体に背負い紐を設けて背負い可能とすると共に、前記筒状体を偏平に押しつぶして下部を折り返し、該折り返し部に曲折した状態を維持するための曲折補助部を設け、該曲折補助部に引き絞り可能な腰ひもを設けてその端部を結合し、前記閉鎖状態維持手段を該腰紐を引き絞る事とし、該腰紐を緩めることで背負ったまま該筒状体の下部開口部を開口可能とした背負い型運搬用具。
【手続補正２】
【補正対象書類名】明細書
【補正対象項目名】全文
【補正方法】変更
【補正の内容】
【発明の詳細な説明】
【技術分野】
【０００１】
本発明は筒状であって、下部開口部より内容物を離脱させることで該内容物の取り出しが容易な、筒状の手下げ型又は背負い型運搬用具に関するものである。
【背景技術】
【０００２】
従来、袋状運搬用具に於いて、該運搬用具が筒状であり、上部開口部より被運搬物である内容物を取り込み下部開口部より取り出す運搬用具は日常生活において使用されてこなかった。ところが、各家庭より袋に入れた生ゴミをカラス等の鳥獣による食い散らし散乱被害から保護する目的で運搬用具を兼ねた袋等に入れて門口に搬出すると、生ゴミの回収業者にとっては袋から取り出す手間がかかり回収のコストを上昇させることとなる。袋状運搬用具を持ち上げるとゴミ袋のみがその場に残る運搬用具が望まれる。また、廃品回収などにおける紙類の搬出と回収、農産物の収穫とその移動等についても同様の機能が求められる。又、農業での肥料の運搬や災害時の土嚢の運搬など重量物の移動では腰を曲げての作業が多く、腰を痛めやすい。台風などの災害時には土嚢が必要とされこの土嚢の運搬は人手に頼らざると得ない場面が多い。このような場合、手で抱えて運搬したりバケツリレー方式で運ぶことも多い。足場が悪いのが通常であり、手で抱えての運搬では体に無理な負担をかけることななる。又、リレー方式では小量ずつの運搬となり、作業効率がわるい。土嚢を背負って移動し、必要個所で背負ったまま運搬具の底を開いて土嚢をその場に落とせば災害予防又は復旧の効率化につながる。農作業についても同様である。
【０００３】
【特許文献１】実用新案登録第３１０４４４６号  実用新案登録第３１０４４４６号記載の考案は「折り畳みの可能な布等のシート状の可撓性材料よりなり、上部に開口（１）を有する有底の筒状に形成された小物入れにおいて、中間部両側の一対の視点（２）（３）から夫々下方へ伸び、下端縁でＵ字状に形成される第１縁部（４）と前記一対の始点（２）（３）から夫々背面側に斜め上方に伸び背面で逆Ｕ字状に形成される第２縁部（５）とを有し下部が内側に折り畳み可能に形成されて、その折り畳み状態を係脱自在な自在なファスナ（６）で止着できるように構成された小物入れ。」である。筒状体下部より内容物の取り出し可能に構成できるものの有底であり上から入れて下から出すという本願機能を果たし得ず、本願への転用は不可能である。特別の操作無しに、筒状体を持ち上げるとゴミ袋等の被運搬物のみがその場に残り、回収が容易である運搬用具の実現が望まれる。
【０００４】
【特許文献２】実開平５−７２７４５  実開平５−７２７４５記載の考案は「軟質な材質から形成され、物品を納めて運搬する袋状の道具であって、上部から物品を収納する上部開口部と、物品の収納部を形成する胴部と底部とからなる運搬袋において、上記上部開口部の周縁に開閉自在に設けた上部開閉部材と上部開口部を内側から封止するため、上記胴部の内部上部の所定の位置に設けた上部封止片と上記底部に下部開口部を形成すると共に当該下部開口部の周縁に開閉自在に設けた開閉部材と上記下部開口部の内側から封止するため、上記胴部の内部下部の所定の位置に設けた下部封止片と上記胴部の外側上部の所定の位置と上記胴部外側下部の所定の位置に、それぞれ複数も受けた吊持部材と、を備えたことを特徴とする運搬袋。」であり、本願とは、本願が上記上部封止片や下部封止片を有さずに筒状体を偏平に押しつぶして折り返し、筒状体下部に引き紐を配して閉鎖用把手とし閉鎖用把手と運搬用把手を共に把持する手下げ型運搬具である点や、該筒状体を折り返した実質的閉鎖位置の外側に「下がり」を構成した点において異なる。単純な構成の運搬用具であって、上部からものを入れて下部から排出する運用具で、筒状体を引き上げると被運搬物だけがその場に残る、カラスなどの鳥獣による食い散らし散乱被害や、風による飛散防止機能を有する運搬用具が望まれる。
【０００５】
【特許文献３】特開２００１−２４３  特開２００１−２４３号公報記載の発明は「プラスチック製の背面板と前面板とを底部で一体に連接させて備えると共に、当該背面板の外面に背負いバンドを有しており、しかも前記背面板の側部と前面板の側部との間に亙って設けられ、かつ、当該背面板と前面板との間の感覚を狭める向きに引き絞り可能な帯状又は紐状をなす引き絞り体を有していることを特徴とする荷運び用背負い体。」であって、本願発明と同様に背面板と前面板との間の感覚を狭める向きに引き絞り可能な帯状又は紐状をなす引き絞り体を有している。しかしながら本発明は「背面板と前面板とを底部で一体に連接させて備える」構成であり、本願発明の「腰紐を緩めることで該筒状体の下部開口部を開口可能とし」背負った土嚢をその場に落下させるという機能を持たせることは不可能である。腰紐を緩めると背負った土嚢が落下することで、重量物の運搬や災害の予防や復旧に貢献できる運搬用具の実現が望まれる。
【発明の開示】
【発明が解決しようとする課題】
【０００６】
運搬用具であって、カラス等鳥獣の食い散らし散乱被害や、廃品回収における紙類の飛散防止などを防ぐことのできるカバーの役割を果たし、特別の操作無しに前記用具を引き上げるとゴミ袋のみがその場に残ることで、生ゴミ等被運搬物の取り込みと取り出しが容易な運搬用具又は散乱防止用覆いとしての機能を有する運搬具を廉価に供すること。また、土嚢や肥料のような重量物を背負うことのできる運搬用具であって、腰紐を緩めることで背負ったままの土嚢のような重量物をその場に落下させることのでき、体に無理な負担をかけない運搬用具を廉価に供すること。
【課題を解決するための手段】
【０００７】
上部開口部から下部開口部までの横幅がほぼ均一に構成され運搬用の把手を取り付けた布や網である布状体によって構成された筒状体であり、該筒状体に運搬中に被運搬物の落下を防ぐための開口部閉鎖手段および該閉鎖手段の解除手段を設けた運搬用具であって、運搬中には開口部を閉鎖手段によって閉鎖状態にしておいて運搬し、運搬終了後は前記閉鎖手段を解除して当該筒状体を吊り上げると前記開口部が前記内容物の重量によって押し広げられ、該内容物が該下部開口部より滑り出して該筒状体から離脱することを特徴とする手下げ型の運搬用具又は散乱防止用覆いとしての機能を有する運搬用具において、前記筒状体を偏平に押しつぶしたものの下部又は上部と下部の双方に下がり部を構成し、該筒状体に被運搬物を入れて横倒しになった場合に該下がり部が垂れ下がって該筒状体の開口部を塞ぐことのできる柔軟性と長さを有することを特徴とする手下げ型の運搬用具を供する。
【０００８】
前記筒状体の下端に引き紐の下端を結合又は係着して上に導き、該引き紐の上端を下部開口部の閉鎖用把手とし、該引き紐を上に引いて扁平に押しつぶした状態の該筒状体下端の一定の長さを上に向かって折り返すことで下部開口部を閉鎖し、該閉鎖用把手と前記運搬用の把手とを共に把持することで該筒状体の下部を閉鎖状態にし、被運搬物を吊り下げて移動可能とした散乱防止用覆いとしての機能を有する手下げ型の運搬用具を供する。
【０００９】
上部開口部から下部開口部までの横幅がほぼ均一に構成され運搬用の負い紐を設けた上下に開口する筒状体であり、該筒状体に運搬中に内容物の落下を防ぐための下部開口部閉鎖手段および該閉鎖手段の解除手段を設けた運搬用具であり、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱することを特徴とする運搬用具において、前記筒状体に背負い紐を設けて背負い可能とすると共に、前記筒状体を偏平に押しつぶして下部を折り返し、該折り返し部に曲折した状態を維持するための曲折補助部を設け、該曲折補助部に引き絞り可能な腰ひもを設けてその端部を結合し、前記閉鎖状態維持手段を該腰紐を引き絞る事とし、該腰紐を緩めることで背負ったまま該筒状体の下部開口部を開口可能とした背負い型運搬用具を供する。
【発明の効果】
【００１０】
上部開口部から下部開口部までの横幅がほぼ均一に構成され運搬用の把手を取り付けた布や網である布状体によって構成された筒状体であり、該筒状体に運搬中に被運搬物の落下を防ぐための開口部閉鎖手段および該閉鎖手段の解除手段を設けた運搬用具であって、運搬中には開口部を閉鎖手段によって閉鎖状態にしておいて運搬し、運搬終了後は前記閉鎖手段を解除して当該筒状体を吊り上げると前記開口部が前記内容物の重量によって押し広げられ、該内容物が該下部開口部より滑り出して該筒状体から離脱することを特徴とする手下げ型の運搬用具又は散乱防止用覆いとしての機能を有する運搬用具において、前記筒状体を偏平に押しつぶしたものの下部又は上部と下部の双方に下がり部を構成し、該筒状体に被運搬物を入れて横倒しになった場合に該下がり部が垂れ下がって該筒状体の開口部を塞ぐことのできる柔軟性と長さを有することを特徴とする手下げ型の運搬用具であるため，次の効果を奏する。
【００１１】
ゴミ袋等の被運搬物を本願運搬用具に入れ、運搬後に下部開口部閉鎖手段を解除してそのまま放置すると「折り返し部」が投入口を覆ってカラスなど鳥獣の侵入を防ぐと共に、前記運搬用具を吊り上げると被運搬物のみがその場に残り、被運搬物の搬出と回収を合理的で容易にする運搬用具が提供できる。
【００１２】
前記筒状体の下端に引き紐の下端を結合又は係着して上に導き、該引き紐の上端を下部開口部の閉鎖用把手とし、該引き紐を上に引いて扁平に押しつぶした状態の該筒状体下端の一定の長さを上に向かって折り返すことで下部開口部を閉鎖し、該閉鎖用把手と前記運搬用の把手とを共に把持することで該筒状体の下部を閉鎖状態にし、被運搬物を吊り下げて移動可能とした散乱防止用覆いとしての機能を有する手下げ型の運搬用具であるため，次の効果を奏する。
【００１３】
ゴミ袋等である被運搬物を本願運搬用具である前記筒状体に入れて、該筒状体の下部に設けた帯や紐を把手と共に把持することで閉鎖状態維持手段を機能させ、前記帯や紐から手を離すだけで閉鎖状態が解除でき、運搬後に該筒状体の下端に設けた引き紐を手から離して該筒状体を吊り上げると下部開口部の閉鎖に関する一切の操作無しに下部開口部閉鎖手段が解除されて被運搬物のみがその場に残り、散乱防止用覆いとしての機能を有する運搬具が廉価に提供でき、また、生ゴミ等の搬出と回収が合理化できる。
【００１４】
上部開口部から下部開口部までの横幅がほぼ均一に構成され運搬用の負い紐を設けた上下に開口する筒状体であり、該筒状体に運搬中に内容物の落下を防ぐための下部開口部閉鎖手段および該閉鎖手段の解除手段を設けた運搬用具であり、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱することを特徴とする運搬用具において、前記筒状体に背負い紐を設けて背負い可能とすると共に、前記筒状体を偏平に押しつぶして下部を折り返し、該折り返し部に曲折した状態を維持するための曲折補助部を設け、該曲折補助部に引き絞り可能な腰ひもを設けてその端部を結合し、前記閉鎖状態維持手段を該腰紐を引き絞る事とし、該腰紐を緩めることで背負ったまま該筒状体の下部開口部を開口可能とした背負い型運搬用具であるため，次の効果を奏する。
【００１５】
運搬した人が立ったたままの状態で被運搬物を地面に落下させることができ、運搬に際し人体への無理な負担をかけることなく土嚢や肥料などの重量物を運搬できるようになる。
【発明を実施するための最良の形態】
【００１６】
本願発明は，運搬用把手を設けて、吊り下げて移動可能とした筒状体の下端を曲折することで開閉可能にし、生ゴミや土嚢などの被運搬物を取り出し容易にし、作業効率を高めるためのものである。以下、図に基づいてその構成について述べる。
【実施例１】
【００１７】
図１は実施例１の斜視図である。筒状体１を網や布等によって構成し、該筒状体１を立てた状態で、上部開口部１１を被運搬物の挿入口とし、下部開口部１２を前記被運搬物の排出口とする。該筒状体１を偏平に押しつぶしてその上部を下に向かって折り返し、上部の折り返し部１３を構成する。該上部の折り返し点１３１付近が実質的上部閉鎖位置となる。また、該筒状体の下部を上に向かって折り返し下部の折り返し部１４を形成する。該下部の折り返し点１４１付近が実質的下部部閉鎖位置となる。該上部折り返し部１３と下部の折り返し部１４は、該筒状体１に被運搬物を入れて横倒しになった場合に該上部の折り返し部１３が垂れ下がって該筒状体１の開口状態を閉鎖することのできる柔軟性と長さを有するものとする。上記のごとく該筒状体１の上部と下部を該折り返すことで上部閉鎖位置と下部部閉鎖位置とによって区切られ閉鎖可能となった該筒状体１の中間部を収納部である胴部１５とする。縦方向に補強材２である複数の縦方向補強材２１を設けるが前記筒状体の材質によっては必ずしも必要としない。上部開口部１１の周縁には該開口部１１を補強し、開口状態を維持しやすくするための開口部補強材２２を配するがこれも前記縦方向補強材２１と同様に該筒状体１の材質によっては必ずしも必要とはしない。該筒状体１の上部に該筒状体１の上部の折り返し点１３１よりも上に突出する把手３である運搬用の把手Ａ３１を設ける。
【００１８】
該筒状体の裏側の縦方向補強材２１を下に延長して係着部２３を構成する。該係着部２３先端と表側の縦方向補強材２１上の前記係着部２３先端に対応する位置に、本図では平面ファスナーである係着手段２４を設ける。該平面ファスナーをフック等別の係着手段とすることが可能である。該係着部２３と表側の縦方向補強材２１との係着手段２４どうしを係着すると筒状体１の下部が上に引き上げられ折り返されて下部の折り返し部１４を形成する。下部の折り返し点１４１付近が筒状体１を運搬用具とする場合の実質的な下部閉鎖位置となり上下に開口する筒状体１が運搬用具となる。被運搬物の回収にあたっては該係着手段２４を解除しておき、運搬用の把手Ａ３１を把持して引き上げると筒状体１の下部の折り返し部１４が引き伸ばされて被運搬物は下部開口部１２より排出される。上部開口部１１から挿入し下部開口部１２より排出されるため、被運搬物が生ゴミのように汚れを伴うものである場合には、該汚れが筒状体１全体に広がることがない。又、回収にあたっては運搬用の把手Ａ３１を引き上げるだけで被運搬物が自動的に排出されるため回収作業を容易にする。
【００１９】
図２は実施例１の作用図であって、筒状体１内部に被運搬物を入れ、運搬後に路面に放置した状態を表している。図Ａは図１における表側を下にして転倒した図であり、図Ｂは図１における表側を上にして転倒した図である。図Ａのごとく図１における表側を下にして転倒した場合には上部の折り返し部１３と下部の折り返し部１４は筒状体の胴部１５の下に置かれ、該胴部１５内に入れられた被運搬物の重量で押さえつけられるため、内部の被運搬物が鳥獣の食い散らし散乱被害に合うことも風などによって散乱することもない。この状態から運搬用の把手Ａ３１を把持し引き上げると下部の折り返し部１４が伸ばされて内部の被運搬物が下部開口部１２から放出される。図Ｂのごとく図１における表側を上にして転倒した場合には係着手段２４を解除しておくと上部の折り返し部１３と下部の折り返し部１４は筒状体の胴部１５の外側に垂れ下がり筒状体１は胴部１５の上部と下部で閉鎖される。
【実施例２】
【００２０】
図３は実施例２の斜視図である。実施例１との相違点は、筒状体１の上部であって上部の折り返し点１３１の周辺下方に把手３である運搬用の把手Ａ３１（３）を全面と裏面のうちの片側にのみ設け、反対側には下部閉鎖用の把手Ｂ３２（３）を設けた点にある。該筒状体の両、側部に一定幅の縫い代１６を設け、該縫い代１６の下部に引き紐４の下端を結合又は係着する。本図における破線は縫い目１６１を表している。該筒状体の両、側部下端に穴１６２を開け、引き紐４の下端に設けた結びこぶ４０１を係着しているが、該結びこぶ４０１をフックにすることや縫着して接合しても効果に違いは無い。また、係着位置は筒状体１の下部であって下部の折り返し点１４１の下方であれば変更可能である。
【００２１】
縫い代１６は筒状体１の内部空間を一定幅に保ち被挿入物の流れをよくすると共に穴１６２の周辺の補強に役立つが必ずしも必要としない。引き紐４は前記筒状体の胴部１５の適宜の位置に設けた引き紐案内部４０２を通って閉鎖用の把手Ｂ３２に結合又は係着する。引き紐の長さはほぼ筒状体１の下端から引き紐案内部４０２までの距離であり、閉鎖用の把手Ｂ３２を上に引き上げて運搬用の把手Ａ３１と共に把持したときに筒状体１の下部が上に引き上げられ折り返されて下部の折り返し部１４を形成する。下部の折り返し点１４１付近が筒状体１を運搬用具とする場合の実質的な閉鎖位置１４１となり、このことで、上下に開口する筒状体１が運搬用具になる。被運搬物の回収にあたっては運搬用の把手Ａ３１のみを把持して引き上げると筒状体１の下部の折り返し部１４が引き伸ばされて被運搬物は下部開口部１２より排出される。
【００２２】
図４は実施例２の作用図であって、筒状体１内部に被運搬物を入れ、運搬後に路面に放置した状態を表している。図Ａは図３における表側を下にして転倒した図であり、図Ｂは図３における表側を上にして転倒した図である。図Ａのごとく図３における表側を下にして転倒した場合には上部の折り返し部１３と下部の折り返し部１４は筒状体の胴部１５の下に置かれ、該胴部１５内に入れられた被運搬物の重量で押さえつけられるため、内部の被運搬物が鳥獣の食い散らし散乱被害に合うことも放出されて散乱することもない。この状態から運搬用の把手Ａ３１（３）を把持し引き上げると下部の折り返し部１４が伸ばされて内部の被運搬物が下部開口部１２から放出される。図Ｂのごとく図１における表側を上にして転倒した場合には上部の折り返し部１３と下部の折り返し部１４は筒状体の胴部１５の外側に垂れ下がり偏平となって筒状体１は胴部１５の上部と下部で閉鎖される。したがって、本実施例では、被運搬物を筒状体１に入れ、運搬用の把手Ａ３１と閉鎖用の把手Ｂ３２を共に把持して運搬し、そのまま放置しても、内部の被運搬物が鳥獣の食い散らし散乱被害に合うことも放出されて散乱することもない。また、被運搬物が生ゴミなどの汚れを伴うものであったとしても上部開口部１１から挿入し下部開口部１２から放出するため、汚れが筒状体全体に広がることが無く衛生的である。
【実施例３】
【００２３】
図５は実施例３の斜視図である。実施例２との相違点は、筒状体１の上部の折り返し点１３１おける両側端に上部の引き紐４１（４）を設けた点である。該引き紐４１（４）と、該筒状体１の下部の折り返し点１４１における両側端に設けた下部の引き紐４２（４）とを同時に引き上げることで、該筒状体１の収納部である胴部１５に入れられた被運搬物を吊り上げる。該筒状体１と上部の引き紐４１（４）との結合点又は係着点より上には該筒状体１の上部の空洞部である「下がりＡ」５１が形成され、該筒状体１と下部の引き紐４２（４）との結合点又は係着点より下には該筒状体１の下部の空洞部である「下がりＢ」５２が形成される。当該二つの「下がり」５は、筒状体１の移動後にそのまま路面に放置すると該筒状体の上部と下部に垂れ下がって筒状体１の上下開口部を塞ぎ、被運搬物の散乱を防止する。
【００２４】
上部の引き紐４１（４）は把手Ｃ３３に連結又は係着され、下部の引き紐４２（４）は把手Ｄ３４に連結又は係着される。該把手Ｃ３３と把手Ｄ３４のそれぞれは閉鎖用把手と運搬用把手を兼ね、該ＣとＤの二つの把手を把持して被運搬物を吊り上げ移動する。回収にあたっては上部の引き紐４１（４）を結合した側の把手Ｃ３３を引き上げて筒状体１から被運搬物を放出する。被運搬物が汚れを伴うものであった場合には上部開口部１１から該被運搬物挿入し下部開口部１２から放出することが望ましいが、上下の形状が似ているため、上部開口部１１にのみ開口部補強材２２を配することや、胴部１５に筒状体１内部での被運搬物の移動方向を示す矢印６を表示することや上部開口部１１付近に「入口」の文字を記載することは上から入れて下から出すことを促す上で有効である。
【実施例４】
【００２５】
図６は実施例４の斜視図である。本実施例は実施例２とほぼ同様であり、相違点は実施例２に実施例３における下部の空洞部である「下がりＢ」５２を設けた点である。筒状体１と下部の引き紐４との結合点又は係着点より下には該筒状体１の下部の空洞部である「下がりＢ」５２が形成される。下がりを設けたことにより筒状体１と下部の引き紐４との結合点又は係着点（本図では筒状体両側端の二つの穴１６２どうしを結んだ位置）から下部の折り返し点１４１までの距離が短くてすむ。すなわち、案内部４０２の位置を筒状体１胴部１５の比較的高い位置に設置可能となり、引き紐４の長さに遊びが少なくてすむ。つまり、引き紐を下に降ろす長さが短くても開口部の閉鎖がより確実に行われるようになる。
【実施例５】
【００２６】
図７は実施例５の斜視図である。図Ａは本実施例の未使用状態、図Ｂは被運搬物を筒状体の胴部１５内に取り込んだ状態を示している。本実施例は曲折補助部７を採用することにより筒状体１の下端を確実に閉鎖すると共に被運搬物の重量を該曲折補助部７が受け止めることで筒状体の材質を保護する機能を有している。筒状体１の下部に適宜の長さの「下がりＢ」５２を設け、少なくとも筒状体１の「下がりＢ」５２よりも上に縦方向補強材２１を配す。筒状体１の「下がりＢ」５２の上に該筒状体１を横切る様に曲折補助部７を配す。該曲折補助部７は板状又は帯状であって複数設けるのが好ましい。該複数の曲折補助部７である上部の曲折補助部Ａ７１と下部の曲折補助部Ｂ７２の間に間隔を持たせて構成される。該上部の曲折補助部Ａ７１の端部に案内孔７１１を設ける。引き紐４の上端を下部閉鎖用の把手Ｂ３２（３）に結合あるいは係着し、該引き紐４の下部を案内孔７１１通した後に下部の曲折補助部Ｂ７２の端部に結合又は係着する。
【００２７】
該引き紐４を引き絞ると図Ｂの様に曲折補助部７どうしが合わさって筒状体１の下部を曲折状態に保持する。上部の曲折補助部Ａ７１と下部の曲折補助部Ｂ７２の間が下部の折り返し点１４１となり、この付近が筒状体１の実質的閉鎖位置となる。また、この付近が本運搬用具の底部に相当し、上部の曲折補助部Ａ７１と下部の曲折補助部Ｂ７２に被運搬物の重量が掛かる。曲折補助部７を一つにする場合には図６における縫い代１６を形成して穴１６２を設け、引き紐４の下部を穴１６２通した後に曲折補助部Ｂ７２の端部に結合又は係着してもほぼ同様の効果を得る。さらには、曲折補助部Ｂ７２も省略し、引き紐４の下部を穴１６２通した後に一定の距離を置いて筒状体の端部に直接結合しても、筒状体を確実に閉鎖するという効果はそれなりに得ることができる。本図では上部の開口部１１を蓋１７とその係着手段２４によって閉鎖したものとしているが、使用の方法及び効果はこれまでに図６などに示した上部を折り返すものとほぼ同様である。
【実施例６】
【００２８】
図８は実施例６の斜視図である。本実施例は本体である筒状体１を頑強な網を含む布状体で構成した背負い型の運搬用具に関するものである。実施例４から「下がりＢ」５２を取り去り、背負い紐８を設けて背負える様にしたものであり、土嚢などの重量物であって被運搬物を人が背負った状態から落下させても身体及び被運搬物に悪影響が出ない物体の運搬に寄与する運搬用具に関するものである。筒状体１を背負った際に背負った人間の頸をよけられるように、筒状体１を偏平に押しつぶした状態での該筒状体上端部中央を、例えば半円形にきり欠いて左右に分け、該筒状体１の上端に二つの肩当て８１を構成する。該肩当て８１の端部の前記切り欠き部寄りに背負い紐８の上端を結合し、該背負い紐８の下端を筒状体下部に結合する。該背負い紐８は押しつぶされた状態での筒状体１の人体側、又は人体からみて外側のどちらに連続する肩当て８１に結合しても機能するが、四つの肩当て８１の全てに背負い紐８を設けることが安定した使い勝手を生じさせる。
【００２９】
上部の曲折補助部Ａ７１の端に設けた案内孔７１１に引き紐４である腰紐４３を通し曲折補助部Ｂ７２の端部に該腰紐４３の端部を結合又は係着さる。該腰紐４３の他の端部を、その端部に係着手段であるフック４４を設ける。腰紐４３を引くと上部の曲折補助部Ａ７１と下部の曲折補助部Ｂ７２の間が曲折され、下部の折り返し点１４１が形成され、この付近が筒状体１の実質的閉鎖位置となる。また、この付近が該運搬用具の底部に相当し上部の曲折補助部Ａ７１と下部の曲折補助部Ｂ７２に被運搬物の重量が掛かる。該上部の曲折補助部Ａ７１と下部の曲折補助部Ｂ７２は該重量を受け止め、筒状体１を補強すると共に曲折した状態を保持する。図６における縫い代１６を本図に採用し、案内孔７１１に換えて穴１６２を設け曲折補助部Ｂ７２のみを残して曲折補助部を一つにすることや、前記穴も設けず一つの曲折補助部Ｂ７２のみ設けて筒状体にの下端を折り返すことや、曲折補助部を設けずに穴１６２を設けて腰紐４３を通し、筒状体の下端部に該腰紐４３の端部を結合又は係着させたとしても、筒状体下部の曲折を確実にする目的においては一定の効果が得られる。
【００３０】
使用に際しては作業台９の上に本実施例を置き、上部開口部１１を開いて土嚢等の被運搬物を入れるか、上部開口部１１を開いた状態で土嚢袋だけを納め、後から土等を入れて土嚢袋の口を閉じることで土嚢を作成するなどし、運搬する人物が前記作業台９に腰をかける様にして筒状体１に体を寄せ、背負い紐を肩にかけ、腰紐４３を引き締めて腰紐に設けたフック４４を係着する。次いで重心を前に倒しながら腰を上げて背負う。被運搬物の取り出しは、背負った人物が前屈みとなり、被運搬物の重量を背中で受け止めながら前記腰紐に設けたフック４４をはずして下部開口部１２の閉鎖状態を解除し、体を立ち上げると被運搬物が自重で下部開口部１２を押し広げて該下部開口部１２から滑り出し、地面に落下する。土嚢を背負う、置く等の土嚢設置作業が立った状態のままで行えることから腰を痛めるなどの危険性を回避できる。
【図面の簡単な説明】
【００３１】
【図１】実施例１の斜視図である。
【図２】実施例１の作用図である。
【図３】実施例２の斜視図である。
【図４】実施例２の作用図である。
【図５】実施例３の斜視図である。
【図６】実施例４の斜視図である。
【図７】実施例５の斜視図である。
【図８】実施例６の斜視図である。
【符号の説明】
【００３２】
１  筒状体
１１  上部開口部
１２  下部開口部
１３  上部の折り返し部
１３１  上部の折り返し点
１４  下部の折り返し部
１４１  下部の折り返し点
１５  胴部
１６  縫い代
１６１  縫い目
１６２  穴
１７  蓋
２  補強材
２１  縦方向補強材
２２  開口部補強材
２３  係着部
２４  係着手段
３  把手
３１  運搬用の把手Ａ
３２  下部閉鎖用の把手Ｂ
３３  把手Ｃ
３４  把手Ｄ
４  引き紐
４０１  結びこぶ
４０２  紐案内部
４１  上部の引き紐
４２  下部の引き紐
４３  腰紐
４４  フック
５  「下がり」
５１  「下がりＡ」
５２  「下がりＢ」
６  矢印
７  曲折補助部
７１  上部の曲折補助部Ａ
７１１  案内孔
７２  下部の曲折補助部Ｂ
８  背負い紐
８１  肩当て
９  作業台
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
端部開口部から他端部開口部までの横幅がほぼ均一に構成され運搬用の把手を取り付けた布状体によって構成された筒状体であり、該筒状体に運搬中に被運搬物の落下を防ぐための開口部閉鎖手段を設けた手下げ型の運搬用具において、前記筒状体を偏平に押しつぶしたものの開口部を左右に見て、両側端に下がり部を開口部閉鎖手段として設け、該下がりを構成するそれぞれの折り返し部における両側端に把手を兼ねた引き紐を設け、該引き紐を同時に引き上げることで、該筒状体の収納部である胴部に入れられた被運搬物を吊り上げて運搬し、該筒状体に被運搬物を入れて横倒しにした場合に該下がり部が垂れ下がって該筒状体の両開口部を塞ぐことのできる柔軟性と長さを有することを特徴とする手下げ型の運搬用具。
【請求項２】
端部開口部から他端部開口部までの横幅がほぼ均一に構成され運搬用の把手を取り付けた布状体によって構成された筒状体であり、該筒状体に運搬中に被運搬物の落下を防ぐための開口部閉鎖手段を設けた運搬用具において、前記筒状体を偏平に押しつぶしたものの開口部を上下に見て下側に前記下がり部を構成し、該下がり部を構成する折り返し部の左右両側端に引き紐をそれぞれ設け、該引き紐のそれぞれを該引き紐と筒状体との接合点から一定の距離を置いて設けられた案内孔を通して上部で連結し、該引き紐を前記把手と共に把持し引き上げることで、該筒状体の収納部である胴部に入れられた被運搬物を吊り上げて運搬し、該筒状体に被運搬物を入れて横倒しにした場合に該下がり部が垂れ下がって該筒状体の開口部を塞ぐことのできる柔軟性と長さを有することを特徴とする手下げ型の運搬用具。
【請求項３】
上部開口部から下部開口部までの横幅がほぼ均一に構成され運搬用の負い紐を設けた上下に開口する筒状体であり、該筒状体に運搬中に内容物の落下を防ぐための下部開口部閉鎖手段を設けた運搬用具であり、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱する運搬用具において、前記筒状体に背負い紐を設けて背負い可能とすると共に、前記筒状体を偏平に押しつぶして下部を折り返し、該折り返し部に曲折した状態を維持するための曲折補助部を該筒状体を横切る様に設け、該曲折補助部の左右両側端部に引き絞り可能な腰ひもをそれぞれ設け、該腰紐を引き絞ることで下部開口部を閉鎖可能とし、該腰紐を緩めることで背負ったまま該筒状体の下部開口部を開口可能とした運搬用具。
【手続補正２】
【補正対象書類名】明細書
【補正対象項目名】全文
【補正方法】変更
【補正の内容】
【発明の詳細な説明】
【技術分野】
【０００１】
本発明は筒状であって、下部開口部より内容物を離脱させることで該内容物の取り出しが容易な、筒状の手下げ型又は背負い型運搬用具に関するものである。
【背景技術】
【０００２】
従来、袋状運搬用具に於いて、該運搬用具が筒状であり、上部開口部より被運搬物である内容物を取り込み下部開口部より取り出す運搬用具は日常生活において使用されてこなかった。ところが、各家庭より袋に入れた生ゴミをカラス等の鳥獣による食い散らし散乱被害から保護する目的で運搬用具を兼ねた袋等に入れて門口に搬出すると、生ゴミの回収業者にとっては袋から取り出す手間がかかり回収のコストを上昇させることとなる。袋状運搬用具を持ち上げるとゴミ袋のみがその場に残る運搬用具が望まれる。また、廃品回収などにおける紙類の搬出と回収、農産物の収穫とその移動等についても同様の機能が求められる。又、農業での肥料の運搬や災害時の土嚢の運搬など重量物の移動では腰を曲げての作業が多く、腰を痛めやすい。台風などの災害時には土嚢が必要とされこの土嚢の運搬は人手に頼らざると得ない場面が多い。このような場合、手で抱えて運搬したりバケツリレー方式で運ぶことも多い。足場が悪いのが通常であり、手で抱えての運搬では体に無理な負担をかけることななる。又、リレー方式では小量ずつの運搬となり、作業効率がわるい。土嚢を背負って移動し、必要個所で背負ったまま運搬具の底を開いて土嚢をその場に落とせば災害予防又は復旧の効率化につながる。農作業についても同様である。
【０００３】
【特許文献１】実用新案登録第３１０４４４６号  実用新案登録第３１０４４４６号記載の考案は「折り畳みの可能な布等のシート状の可撓性材料よりなり、上部に開口（１）を有する有底の筒状に形成された小物入れにおいて、中間部両側の一対の視点（２）（３）から夫々下方へ伸び、下端縁でＵ字状に形成される第１縁部（４）と前記一対の始点（２）（３）から夫々背面側に斜め上方に伸び背面で逆Ｕ字状に形成される第２縁部（５）とを有し下部が内側に折り畳み可能に形成されて、その折り畳み状態を係脱自在な自在なファスナ（６）で止着できるように構成された小物入れ。」である。筒状体下部より内容物の取り出し可能に構成できるものの有底であり上から入れて下から出すという本願機能を果たし得ず、本願への転用は不可能である。特別の操作無しに、筒状体を持ち上げるとゴミ袋等の被運搬物のみがその場に残り、回収が容易である運搬用具の実現が望まれる。
【０００４】
【特許文献２】実開平５−７２７４５  実開平５−７２７４５記載の考案は「軟質な材質から形成され、物品を納めて運搬する袋状の道具であって、上部から物品を収納する上部開口部と、物品の収納部を形成する胴部と底部とからなる運搬袋において、上記上部開口部の周縁に開閉自在に設けた上部開閉部材と上部開口部を内側から封止するため、上記胴部の内部上部の所定の位置に設けた上部封止片と上記底部に下部開口部を形成すると共に当該下部開口部の周縁に開閉自在に設けた開閉部材と上記下部開口部の内側から封止するため、上記胴部の内部下部の所定の位置に設けた下部封止片と上記胴部の外側上部の所定の位置と上記胴部外側下部の所定の位置に、それぞれ複数も受けた吊持部材と、を備えたことを特徴とする運搬袋。」であり、本願とは、本願が上記上部封止片や下部封止片を有さずに筒状体を偏平に押しつぶして折り返し、筒状体下部に引き紐を配して閉鎖用把手とし閉鎖用把手と運搬用把手を共に把持する手下げ型運搬具である点や、該筒状体を折り返した実質的閉鎖位置の外側に「下がり」を構成した点において異なる。単純な構成の運搬用具であって、上部からものを入れて下部から排出する運用具で、筒状体を引き上げると被運搬物だけがその場に残る、カラスなどの鳥獣による食い散らし散乱被害や、風による飛散防止機能を有する運搬用具が望まれる。
【０００５】
【特許文献３】特開２００１−２４３  特開２００１−２４３号公報記載の発明は「プラスチック製の背面板と前面板とを底部で一体に連接させて備えると共に、当該背面板の外面に背負いバンドを有しており、しかも前記背面板の側部と前面板の側部との間に亙って設けられ、かつ、当該背面板と前面板との間の感覚を狭める向きに引き絞り可能な帯状又は紐状をなす引き絞り体を有していることを特徴とする荷運び用背負い体。」であって、本願発明と同様に背面板と前面板との間の感覚を狭める向きに引き絞り可能な帯状又は紐状をなす引き絞り体を有している。しかしながら本発明は「背面板と前面板とを底部で一体に連接させて備える」構成であり、本願発明の「腰紐を緩めることで該筒状体の下部開口部を開口可能とし」背負った土嚢をその場に落下させるという機能を持たせることは不可能である。腰紐を緩めると背負った土嚢が落下することで、重量物の運搬や災害の予防や復旧に貢献できる運搬用具の実現が望まれる。
【発明の開示】
【発明が解決しようとする課題】
【０００６】
運搬用具であって、カラス等鳥獣の食い散らし散乱被害や、廃品回収における紙類の飛散防止などを防ぐことのできるカバーの役割を果たし、特別の操作無しに前記用具を引き上げるとゴミ袋のみがその場に残ることで、生ゴミ等被運搬物の取り込みと取り出しが容易な運搬用具又は散乱防止用覆いとしての機能を有する運搬具を廉価に供すること。また、土嚢や肥料のような重量物を背負うことのできる運搬用具であって、腰紐を緩めることで背負ったままの土嚢のような重量物をその場に落下させることのでき、体に無理な負担をかけない運搬用具を廉価に供すること。
【課題を解決するための手段】
【０００７】
端部開口部から他端部開口部までの横幅がほぼ均一に構成され運搬用の把手を取り付けた布状体によって構成された筒状体であり、該筒状体に運搬中に被運搬物の落下を防ぐための開口部閉鎖手段を設けた手下げ型の運搬用具において、前記筒状体を偏平に押しつぶしたものの開口部を左右に見て、両側端に下がり部を開口部閉鎖手段として設け、該下がりを構成するそれぞれの折り返し部における両側端に把手を兼ねた引き紐を設け、該引き紐を同時に引き上げることで、該筒状体の収納部である胴部に入れられた被運搬物を吊り上げて運搬し、該筒状体に被運搬物を入れて横倒しにした場合に該下がり部が垂れ下がって該筒状体の両開口部を塞ぐことのできる柔軟性と長さを有することを特徴とする手下げ型の運搬用具を供する。
【０００８】
端部開口部から他端部開口部までの横幅がほぼ均一に構成され運搬用の把手を取り付けた布状体によって構成された筒状体であり、該筒状体に運搬中に被運搬物の落下を防ぐための開口部閉鎖手段を設けた運搬用具において、前記筒状体を偏平に押しつぶしたものの開口部を上下に見て下側に前記下がり部を構成し、該下がり部を構成する折り返し部の左右両側端に引き紐をそれぞれ設け、該引き紐のそれぞれを該引き紐と筒状体との接合点から一定の距離を置いて設けられた案内孔を通して上部で連結し、該引き紐を前記把手と共に把持し引き上げることで、該筒状体の収納部である胴部に入れられた被運搬物を吊り上げて運搬し、該筒状体に被運搬物を入れて横倒しにした場合に該下がり部が垂れ下がって該筒状体の開口部を塞ぐことのできる柔軟性と長さを有することを特徴とする手下げ型の運搬用具を供する。
【０００９】
上部開口部から下部開口部までの横幅がほぼ均一に構成され運搬用の負い紐を設けた上下に開口する筒状体であり、該筒状体に運搬中に内容物の落下を防ぐための下部開口部閉鎖手段を設けた運搬用具であり、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱する運搬用具において、前記筒状体に背負い紐を設けて背負い可能とすると共に、前記筒状体を偏平に押しつぶして下部を折り返し、該折り返し部に曲折した状態を維持するための曲折補助部を該筒状体を横切る様に設け、該曲折補助部の左右両側端部に引き絞り可能な腰ひもをそれぞれ設け、該腰紐を引き絞ることで下部開口部を閉鎖可能とし、該腰紐を緩めることで背負ったまま該筒状体の下部開口部を開口可能とした運搬用具を供する。
【発明の効果】
【００１０】
端部開口部から他端部開口部までの横幅がほぼ均一に構成され運搬用の把手を取り付けた布状体によって構成された筒状体であり、該筒状体に運搬中に被運搬物の落下を防ぐための開口部閉鎖手段を設けた手下げ型の運搬用具において、前記筒状体を偏平に押しつぶしたものの開口部を左右に見て、両側端に下がり部を開口部閉鎖手段として設け、該下がりを構成するそれぞれの折り返し部における両側端に把手を兼ねた引き紐を設け、該引き紐を同時に引き上げることで、該筒状体の収納部である胴部に入れられた被運搬物を吊り上げて運搬し、該筒状体に被運搬物を入れて横倒しにした場合に該下がり部が垂れ下がって該筒状体の両開口部を塞ぐことのできる柔軟性と長さを有することを特徴とする手下げ型の運搬用具であるため，次の効果を奏する。
【００１１】
ゴミ袋等の被運搬物を本願運搬用具に入れ、運搬後に下部開口部閉鎖手段を解除してそのまま放置すると「折り返し部」が投入口を覆ってカラスなど鳥獣の侵入を防ぐと共に、前記運搬用具を吊り上げると被運搬物のみがその場に残り、被運搬物の搬出と回収を合理的で容易にする運搬用具が提供できる。
【００１２】
端部開口部から他端部開口部までの横幅がほぼ均一に構成され運搬用の把手を取り付けた布状体によって構成された筒状体であり、該筒状体に運搬中に被運搬物の落下を防ぐための開口部閉鎖手段を設けた運搬用具において、前記筒状体を偏平に押しつぶしたものの開口部を上下に見て下側に前記下がり部を構成し、該下がり部を構成する折り返し部の左右両側端に引き紐をそれぞれ設け、該引き紐のそれぞれを該引き紐と筒状体との接合点から一定の距離を置いて設けられた案内孔を通して上部で連結し、該引き紐を前記把手と共に把持し引き上げることで、該筒状体の収納部である胴部に入れられた被運搬物を吊り上げて運搬し、該筒状体に被運搬物を入れて横倒しにした場合に該下がり部が垂れ下がって該筒状体の開口部を塞ぐことのできる柔軟性と長さを有することを特徴とする手下げ型の運搬用具であるため，次の効果を奏する。
【００１３】
ゴミ袋等である被運搬物を本願運搬用具である前記筒状体に入れて、該筒状体の下部に設けた引き紐を把手と共に把持することで閉鎖状態維持手段を機能させ、前記引き紐から手を離すだけで閉鎖状態が解除でき、運搬後に該筒状体の下端に設けた引き紐を手から離して該筒状体を吊り上げると下部開口部の閉鎖に関する一切の操作無しに下部開口部閉鎖手段が解除されて被運搬物のみがその場に残り、散乱防止用覆いとしての機能を有する運搬具が廉価に提供でき、また、生ゴミ等の搬出と回収が合理化できる。
【００１４】
上部開口部から下部開口部までの横幅がほぼ均一に構成され運搬用の負い紐を設けた上下に開口する筒状体であり、該筒状体に運搬中に内容物の落下を防ぐための下部開口部閉鎖手段を設けた運搬用具であり、運搬中には下部開口部を閉鎖手段によって閉鎖状態にしておいて運搬し、運搬終了後は前記閉鎖手段を解除して当該筒状体を吊り上げると前記下部開口部が前記内容物の重量によって押し広げられ、該内容物が該下部開口部より滑り出して該筒状体から離脱する運搬用具において、前記筒状体に背負い紐を設けて背負い可能とすると共に、前記筒状体を偏平に押しつぶして下部を折り返し、該折り返し部に曲折した状態を維持するための曲折補助部を該筒状体を横切る様に設け、該曲折補助部の左右両側端部に引き絞り可能な腰ひもをそれぞれ設け、該腰紐を引き絞ることで下部開口部を閉鎖可能とし、該腰紐を緩めることで背負ったまま該筒状体の下部開口部を開口可能とした運搬用具であるため，次の効果を奏する。
【００１５】
運搬した人が立ったたままの状態で被運搬物を地面に落下させることができ、運搬に際し人体への無理な負担をかけることなく土嚢や肥料などの重量物を運搬できるようになる。
【発明を実施するための最良の形態】
【００１６】
本願発明は，運搬用把手を設けて、吊り下げて移動可能とした筒状体の下端を曲折することで開閉可能にし、生ゴミや土嚢などの被運搬物を取り出し容易にし、作業効率を高めるためのものである。以下、図に基づいてその構成について述べる。
【実施例１】
【００１７】
図１は実施例１の斜視図である。筒状体１を網や布等によって構成し、該筒状体１を立てた状態で、上部開口部１１を被運搬物の挿入口とし、下部開口部１２を前記被運搬物の排出口とする。該筒状体１を偏平に押しつぶしてその上部を下に向かって折り返し、上部の折り返し部１３を構成する。該上部の折り返し点１３１付近が実質的上部閉鎖位置となる。また、該筒状体の下部を上に向かって折り返し下部の折り返し部１４を形成する。該下部の折り返し点１４１付近が実質的下部部閉鎖位置となる。該上部折り返し部１３と下部の折り返し部１４は、該筒状体１に被運搬物を入れて横倒しになった場合に該上部の折り返し部１３が垂れ下がって該筒状体１の開口状態を閉鎖することのできる柔軟性と長さを有するものとする。上記のごとく該筒状体１の上部と下部を該折り返すことで上部閉鎖位置と下部部閉鎖位置とによって区切られ閉鎖可能となった該筒状体１の中間部を収納部である胴部１５とする。縦方向に補強材２である複数の縦方向補強材２１を設けるが前記筒状体の材質によっては必ずしも必要としない。上部開口部１１の周縁には該開口部１１を補強し、開口状態を維持しやすくするための開口部補強材２２を配するがこれも前記縦方向補強材２１と同様に該筒状体１の材質によっては必ずしも必要とはしない。該筒状体１の上部に該筒状体１の上部の折り返し点１３１よりも上に突出する把手３である運搬用の把手Ａ３１を設ける。
【００１８】
該筒状体の裏側の縦方向補強材２１を下に延長して係着部２３を構成する。該係着部２３先端と表側の縦方向補強材２１上の前記係着部２３先端に対応する位置に、本図では平面ファスナーである係着手段２４を設ける。該平面ファスナーをフック等別の係着手段とすることが可能である。該係着部２３と表側の縦方向補強材２１との係着手段２４どうしを係着すると筒状体１の下部が上に引き上げられ折り返されて下部の折り返し部１４を形成する。下部の折り返し点１４１付近が筒状体１を運搬用具とする場合の実質的な下部閉鎖位置となり上下に開口する筒状体１が運搬用具となる。被運搬物の回収にあたっては該係着手段２４を解除しておき、運搬用の把手Ａ３１を把持して引き上げると筒状体１の下部の折り返し部１４が引き伸ばされて被運搬物は下部開口部１２より排出される。上部開口部１１から挿入し下部開口部１２より排出されるため、被運搬物が生ゴミのように汚れを伴うものである場合には、該汚れが筒状体１全体に広がることがない。又、回収にあたっては運搬用の把手Ａ３１を引き上げるだけで被運搬物が自動的に排出されるため回収作業を容易にする。
【００１９】
図２は実施例１の作用図であって、筒状体１内部に被運搬物を入れ、運搬後に路面に放置した状態を表している。図Ａは図１における表側を下にして転倒した図であり、図Ｂは図１における表側を上にして転倒した図である。図Ａのごとく図１における表側を下にして転倒した場合には上部の折り返し部１３と下部の折り返し部１４は筒状体の胴部１５の下に置かれ、該胴部１５内に入れられた被運搬物の重量で押さえつけられるため、内部の被運搬物が鳥獣の食い散らし散乱被害に合うことも風などによって散乱することもない。この状態から運搬用の把手Ａ３１を把持し引き上げると下部の折り返し部１４が伸ばされて内部の被運搬物が下部開口部１２から放出される。図Ｂのごとく図１における表側を上にして転倒した場合には係着手段２４を解除しておくと上部の折り返し部１３と下部の折り返し部１４は筒状体の胴部１５の外側に垂れ下がり筒状体１は胴部１５の上部と下部で閉鎖される。
【実施例２】
【００２０】
図３は実施例２の斜視図である。実施例１との相違点は、筒状体１の上部であって上部の折り返し点１３１の周辺下方に把手３である運搬用の把手Ａ３１（３）を全面と裏面のうちの片側にのみ設け、反対側には下部閉鎖用の把手Ｂ３２（３）を設けた点にある。該筒状体の両、側部に一定幅の縫い代１６を設け、該縫い代１６の下部に引き紐４の下端を結合又は係着する。本図における破線は縫い目１６１を表している。該筒状体の両、側部下端に穴１６２を開け、引き紐４の下端に設けた結びこぶ４０１を係着しているが、該結びこぶ４０１をフックにすることや縫着して接合しても効果に違いは無い。また、係着位置は筒状体１の下部であって下部の折り返し点１４１の下方であれば変更可能である。
【００２１】
縫い代１６は筒状体１の内部空間を一定幅に保ち被挿入物の流れをよくすると共に穴１６２の周辺の補強に役立つが必ずしも必要としない。引き紐４は前記筒状体の胴部１５の適宜の位置に設けた引き紐案内部４０２を通って閉鎖用の把手Ｂ３２に結合又は係着する。引き紐の長さはほぼ筒状体１の下端から引き紐案内部４０２までの距離であり、閉鎖用の把手Ｂ３２を上に引き上げて運搬用の把手Ａ３１と共に把持したときに筒状体１の下部が上に引き上げられ折り返されて下部の折り返し部１４を形成する。下部の折り返し点１４１付近が筒状体１を運搬用具とする場合の実質的な閉鎖位置１４１となり、このことで、上下に開口する筒状体１が運搬用具になる。被運搬物の回収にあたっては運搬用の把手Ａ３１のみを把持して引き上げると筒状体１の下部の折り返し部１４が引き伸ばされて被運搬物は下部開口部１２より排出される。
【００２２】
図４は実施例２の作用図であって、筒状体１内部に被運搬物を入れ、運搬後に路面に放置した状態を表している。図Ａは図３における表側を下にして転倒した図であり、図Ｂは図３における表側を上にして転倒した図である。図Ａのごとく図３における表側を下にして転倒した場合には上部の折り返し部１３と下部の折り返し部１４は筒状体の胴部１５の下に置かれ、該胴部１５内に入れられた被運搬物の重量で押さえつけられるため、内部の被運搬物が鳥獣の食い散らし散乱被害に合うことも放出されて散乱することもない。この状態から運搬用の把手Ａ３１（３）を把持し引き上げると下部の折り返し部１４が伸ばされて内部の被運搬物が下部開口部１２から放出される。図Ｂのごとく図１における表側を上にして転倒した場合には上部の折り返し部１３と下部の折り返し部１４は筒状体の胴部１５の外側に垂れ下がり偏平となって筒状体１は胴部１５の上部と下部で閉鎖される。したがって、本実施例では、被運搬物を筒状体１に入れ、運搬用の把手Ａ３１と閉鎖用の把手Ｂ３２を共に把持して運搬し、そのまま放置しても、内部の被運搬物が鳥獣の食い散らし散乱被害に合うことも放出されて散乱することもない。また、被運搬物が生ゴミなどの汚れを伴うものであったとしても上部開口部１１から挿入し下部開口部１２から放出するため、汚れが筒状体全体に広がることが無く衛生的である。
【実施例３】
【００２３】
図５は実施例３の斜視図である。実施例２との相違点は、筒状体１の上部の折り返し点１３１おける両側端に上部の引き紐４１（４）を設けた点である。該引き紐４１（４）と、該筒状体１の下部の折り返し点１４１における両側端に設けた下部の引き紐４２（４）とを同時に引き上げることで、該筒状体１の収納部である胴部１５に入れられた被運搬物を吊り上げる。該筒状体１と上部の引き紐４１（４）との結合点又は係着点より上には該筒状体１の上部の空洞部である「下がりＡ」５１が形成され、該筒状体１と下部の引き紐４２（４）との結合点又は係着点より下には該筒状体１の下部の空洞部である「下がりＢ」５２が形成される。当該二つの「下がり」５は、筒状体１の移動後にそのまま路面に放置すると該筒状体の上部と下部に垂れ下がって筒状体１の上下開口部を塞ぎ、被運搬物の散乱を防止する。
【００２４】
上部の引き紐４１（４）は把手Ｃ３３に連結又は係着され、下部の引き紐４２（４）は把手Ｄ３４に連結又は係着される。該把手Ｃ３３と把手Ｄ３４のそれぞれは閉鎖用把手と運搬用把手を兼ね、該ＣとＤの二つの把手を把持して被運搬物を吊り上げ移動する。回収にあたっては上部の引き紐４１（４）を結合した側の把手Ｃ３３を引き上げて筒状体１から被運搬物を放出する。被運搬物が汚れを伴うものであった場合には上部開口部１１から該被運搬物挿入し下部開口部１２から放出することが望ましいが、上下の形状が似ているため、上部開口部１１にのみ開口部補強材２２を配することや、胴部１５に筒状体１内部での被運搬物の移動方向を示す矢印６を表示することや上部開口部１１付近に「入口」の文字を記載することは上から入れて下から出すことを促す上で有効である。
【実施例４】
【００２５】
図６は実施例４の斜視図である。本実施例は実施例２とほぼ同様であり、相違点は実施例２に実施例３における下部の空洞部である「下がりＢ」５２を設けた点である。筒状体１と下部の引き紐４との結合点又は係着点より下には該筒状体１の下部の空洞部である「下がりＢ」５２が形成される。下がりを設けたことにより筒状体１と下部の引き紐４との結合点又は係着点（本図では筒状体両側端の二つの穴１６２どうしを結んだ位置）から下部の折り返し点１４１までの距離が短くてすむ。すなわち、案内部４０２の位置を筒状体１胴部１５の比較的高い位置に設置可能となり、引き紐４の長さに遊びが少なくてすむ。つまり、引き紐を下に降ろす長さが短くても開口部の閉鎖がより確実に行われるようになる。
【実施例５】
【００２６】
図７は実施例５の斜視図である。図Ａは本実施例の未使用状態、図Ｂは被運搬物を筒状体の胴部１５内に取り込んだ状態を示している。本実施例は曲折補助部７を採用することにより筒状体１の下端を確実に閉鎖すると共に被運搬物の重量を該曲折補助部７が受け止めることで筒状体の材質を保護する機能を有している。筒状体１の下部に適宜の長さの「下がりＢ」５２を設け、少なくとも筒状体１の「下がりＢ」５２よりも上に縦方向補強材２１を配す。筒状体１の「下がりＢ」５２の上に該筒状体１を横切る様に曲折補助部７を配す。該曲折補助部７は板状又は帯状であって複数設けるのが好ましい。該複数の曲折補助部７である上部の曲折補助部Ａ７１と下部の曲折補助部Ｂ７２の間に間隔を持たせて構成される。該上部の曲折補助部Ａ７１の端部に案内孔７１１を設ける。引き紐４の上端を下部閉鎖用の把手Ｂ３２（３）に結合あるいは係着し、該引き紐４の下部を案内孔７１１通した後に下部の曲折補助部Ｂ７２の端部に結合又は係着する。
【００２７】
該引き紐４を引き絞ると図Ｂの様に曲折補助部７どうしが合わさって筒状体１の下部を曲折状態に保持する。上部の曲折補助部Ａ７１と下部の曲折補助部Ｂ７２の間が下部の折り返し点１４１となり、この付近が筒状体１の実質的閉鎖位置となる。また、この付近が本運搬用具の底部に相当し、上部の曲折補助部Ａ７１と下部の曲折補助部Ｂ７２に被運搬物の重量が掛かる。曲折補助部７を一つにする場合には図６における縫い代１６を形成して穴１６２を設け、引き紐４の下部を穴１６２通した後に曲折補助部Ｂ７２の端部に結合又は係着してもほぼ同様の効果を得る。さらには、曲折補助部Ｂ７２も省略し、引き紐４の下部を穴１６２通した後に一定の距離を置いて筒状体の端部に直接結合しても、筒状体を確実に閉鎖するという効果はそれなりに得ることができる。本図では上部の開口部１１を蓋１７とその係着手段２４によって閉鎖したものとしているが、使用の方法及び効果はこれまでに図６などに示した上部を折り返すものとほぼ同様である。
【実施例６】
【００２８】
図８は実施例６の斜視図である。本実施例は本体である筒状体１を頑強な網を含む布状体で構成した背負い型の運搬用具に関するものである。実施例４から「下がりＢ」５２を取り去り、背負い紐８を設けて背負える様にしたものであり、土嚢などの重量物であって被運搬物を人が背負った状態から落下させても身体及び被運搬物に悪影響が出ない物体の運搬に寄与する運搬用具に関するものである。筒状体１を背負った際に背負った人間の頸をよけられるように、筒状体１を偏平に押しつぶした状態での該筒状体上端部中央を、例えば半円形にきり欠いて左右に分け、該筒状体１の上端に二つの肩当て８１を構成する。該肩当て８１の端部の前記切り欠き部寄りに背負い紐８の上端を結合し、該背負い紐８の下端を筒状体下部に結合する。該背負い紐８は押しつぶされた状態での筒状体１の人体側、又は人体からみて外側のどちらに連続する肩当て８１に結合しても機能するが、四つの肩当て８１の全てに背負い紐８を設けることが安定した使い勝手を生じさせる。
【００２９】
上部の曲折補助部Ａ７１の端に設けた案内孔７１１に引き紐４である腰紐４３を通し曲折補助部Ｂ７２の端部に該腰紐４３の端部を結合又は係着さる。該腰紐４３の他の端部を、その端部に係着手段であるフック４４を設ける。腰紐４３を引くと上部の曲折補助部Ａ７１と下部の曲折補助部Ｂ７２の間が曲折され、下部の折り返し点１４１が形成され、この付近が筒状体１の実質的閉鎖位置となる。また、この付近が該運搬用具の底部に相当し上部の曲折補助部Ａ７１と下部の曲折補助部Ｂ７２に被運搬物の重量が掛かる。該上部の曲折補助部Ａ７１と下部の曲折補助部Ｂ７２は該重量を受け止め、筒状体１を補強すると共に曲折した状態を保持する。図６における縫い代１６を本図に採用し、案内孔７１１に換えて穴１６２を設け曲折補助部Ｂ７２のみを残して曲折補助部を一つにすることや、前記穴も設けず一つの曲折補助部Ｂ７２のみ設けて筒状体にの下端を折り返すことや、曲折補助部を設けずに穴１６２を設けて腰紐４３を通し、筒状体の下端部に該腰紐４３の端部を結合又は係着させたとしても、筒状体下部の曲折を確実にする目的においては一定の効果が得られる。
【００３０】
使用に際しては作業台９の上に本実施例を置き、上部開口部１１を開いて土嚢等の被運搬物を入れるか、上部開口部１１を開いた状態で土嚢袋だけを納め、後から土等を入れて土嚢袋の口を閉じることで土嚢を作成するなどし、運搬する人物が前記作業台９に腰をかける様にして筒状体１に体を寄せ、背負い紐を肩にかけ、腰紐４３を引き締めて腰紐に設けたフック４４を係着する。次いで重心を前に倒しながら腰を上げて背負う。被運搬物の取り出しは、背負った人物が前屈みとなり、被運搬物の重量を背中で受け止めながら前記腰紐に設けたフック４４をはずして下部開口部１２の閉鎖状態を解除し、体を立ち上げると被運搬物が自重で下部開口部１２を押し広げて該下部開口部１２から滑り出し、地面に落下する。土嚢を背負う、置く等の土嚢設置作業が立った状態のままで行えることから腰を痛めるなどの危険性を回避できる。
【図面の簡単な説明】
【００３１】
【図１】実施例１の斜視図である。
【図２】実施例１の作用図である。
【図３】実施例２の斜視図である。
【図４】実施例２の作用図である。
【図５】実施例３の斜視図である。
【図６】実施例４の斜視図である。
【図７】実施例５の斜視図である。
【図８】実施例６の斜視図である。
【符号の説明】
【００３２】
１  筒状体
１１  上部開口部
１２  下部開口部
１３  上部の折り返し部
１３１  上部の折り返し点
１４  下部の折り返し部
１４１  下部の折り返し点
１５  胴部
１６  縫い代
１６１  縫い目
１６２  穴
１７  蓋
２  補強材
２１  縦方向補強材
２２  開口部補強材
２３  係着部
２４  係着手段
３  把手
３１  運搬用の把手Ａ
３２  下部閉鎖用の把手Ｂ
３３  把手Ｃ
３４  把手Ｄ
４  引き紐
４０１  結びこぶ
４０２  紐案内部
４１  上部の引き紐
４２  下部の引き紐
４３  腰紐
４４  フック
５  「下がり」
５１  「下がりＡ」
５２  「下がりＢ」
６  矢印
７  曲折補助部
７１  上部の曲折補助部Ａ
７１１  案内孔
７２  下部の曲折補助部Ｂ
８  背負い紐
８１  肩当て
９  作業台